(57)【要約】【課題】複数の被集積物が集積された集積体に対して、多様な包装形態に対応可能な包装装置を提供する。【解決手段】包装装置２１は、ＰＴＰシート１を集積するための集積手段２２、１次バンド掛け可能な１次バンド手段２３、２次バンド掛け可能な２次バンド手段２４、及び、ピロー包装可能なピロー包装手段２６を備えている。また、１次バンド手段２３は、１次バンド掛けを施さずにＰＴＰシート１を下流へと移送することも可能に構成されている。さらに、２次バンドバイパス手段２５及びピローバイパス手段２７は、それぞれ２次バンド手段２４及びピロー包装手段２６を経由させずに、ＰＴＰシート１を下流側へと移送させるように構成されている。これにより、２次バンド掛け及びピロー包装の実施の有無も選択できる。【選択図】      図１
2006056533.tif 000002
【特許請求の範囲】
【請求項１】
複数の被集積物が集積された集積体に対して、結束体をバンド掛け可能な１次バンド手段と、
該１次バンド手段の下流側に設けられ、前記集積体を複数まとめて、結束体をバンド掛け可能な２次バンド手段と、
該２次バンド手段の下流側に設けられ、前記集積体に対して、ピロー包装を実施するためのピロー包装手段とを備えた包装装置であって、
前記１次バンド手段によるバンド掛けを施すことなく、前記集積体を前記１次バンド手段の下流側へと移送可能に構成するとともに、
前記２次バンド手段によるバンド掛けを施すことなく、前記集積体を２次バンド手段の下流側へと移送可能に構成し、
前記２次バンド手段の下流側かつ前記ピロー包装手段の上流側において、前記集積体を受取り可能であり、前記受け取った集積体にピロー包装を施すことなく、前記ピロー包装手段とは別途の経路で下流側へと移送するためのバイパス手段を設けたことを特徴とする包装装置。
【請求項２】
前記１次バンド手段は、前記集積体を移送する移送機構と、該移送機構による移送に際して、前記集積体にバンド掛けを施す１次バンド機構とを備え、かつ、該１次バンド機構が無効化可能に構成されていることを特徴とする請求項１に記載の包装装置。
【請求項３】
前記１次バンド手段の上流側において前記集積体を受取り可能であり、該受け取った集積体に前記１次バンド手段によるバンド掛けを施すことなく、前記１次バンド手段とは別途の経路で当該１次バンド手段の下流側かつ前記２次バンド手段の上流側へと移送するための１次バンドバイパス手段を設けたことを特徴とする請求項１または２に記載の包装装置。
【請求項４】
前記１次バンド手段の下流側かつ前記２次バンド手段の上流側において前記集積体を受取り可能であり、該受け取った集積体に前記２次バンド手段によるバンド掛けを施すことなく、前記２次バンド手段とは別途の経路で当該２次バンド手段の下流側かつ前記ピロー包装手段の上流側へと移送するための２次バンドバイパス手段を設けたことを特徴とする請求項１乃至３のいずれかに記載の包装装置。
【請求項５】
前記バイパス手段は、前記１次バンド手段の下流側かつ前記２次バンド手段の上流側において前記集積体を受取り可能であり、該受け取った集積体に対して前記２次バンド手段によるバンド掛けを施すことなく、前記２次バンド手段とは別途の経路で当該２次バンド手段の下流側かつ前記ピロー包装手段の上流側、または、前記ピロー包装手段の下流側へと移送可能な２次バンドバイパス機能を有することを特徴とする請求項１乃至３のいずれかに記載の包装装置。
【請求項６】
前記バイパス手段は、前記１次バンド手段の上流側において前記集積体を受取り可能であり、該受け取った集積体に対して前記１次バンド手段によるバンド掛けを施すことなく、前記１次バンド手段の下流側かつ前記２次バンド手段の上流側、または、前記２次バンド手段の下流側へと移送可能な１次バンドバイパス機能を有することを特徴とする請求項５に記載の包装装置。
【請求項７】
前記２次バンド手段は、前記集積体を移送する移送機構と、該移送機構による移送に際して、前記集積体にバンド掛けを施す２次バンド機構とを備え、かつ、該２次バンド機構が無効化可能に構成されていることを特徴とする請求項１乃至６のいずれかに記載の包装装置。
【請求項８】
前記１次バンド手段の上流側に設けられ、複数の被集積物を所定枚数ずつに集積するための集積手段を備えることを特徴とする請求項１乃至７のいずれかに記載の包装装置。
【発明の詳細な説明】
【技術分野】
【０００１】
本発明は、複数の被集積物が集積されてなる集積体を包装するための包装装置を含む技術分野に属するものである。
【背景技術】
【０００２】
一般に、ＰＴＰシートは、次のように構成されている。すなわち、包装用フィルムに複数のポケット部が形成されており、該ポケット部には錠剤等が充填され、カバーフィルムが容器フィルムのポケット部の開口側に貼り付けられている。
【０００３】
かかるＰＴＰシートは、複数枚がまとめられた集積シートとして包装される。包装形態としては、（１）２枚ずつ抱き合わせたＰＴＰシートを１０枚まとめてバンドフィルムを巻き付ける一束バンド掛けするもの、（２）前記一束バンド掛けしたものを、さらに、５組まとめてバンドフィルムを巻き付ける五束バンド掛けをするもの、（３）五束バンド掛けした上で、ピロー包装するもの、（４）一束バンド掛けした上でピロー包装するもの、（５）バンド掛けなしで集積シートをピロー包装するもの等の各形態が挙げられる。
【０００４】
従来では、一束バンド掛け包装装置、一束バンド掛けに加え五束バンド掛けする包装装置、一束バンド掛け・五束バンド掛け・ピロー包装を順に行う包装装置（例えば、特許文献１参照。）、一束バンド掛けに加えピロー包装する包装装置、ピロー包装のみを実施する包装装置のように、包装形態に応じて異なる包装装置によって対応していた。
【０００５】
また、一束バンド掛け機能とピロー包装機能とを備え、かつ、一束バンド掛けの有無が選択可能な包装装置（例えば、特許文献２参照。）もある。この場合、一束バンド掛けした上でピロー包装することに加え、ピロー包装のみを実施することも可能であり、２つの包装形態に対応できる。
【特許文献１】特許第３０６６０３２号公報
【特許文献２】特開平１１−９１７２４号公報
【発明の開示】
【発明が解決しようとする課題】
【０００６】
しかしながら、前記のような多様な包装形態を１台で対応可能な包装装置は存在していないのが実状である。すなわち、ＰＴＰシートを様々な包装形態で包装させる場合には、依然として、複数の設備が必要となる。このため、設備費が増大し、さらには、設備設置面積も拡大するといった不具合を生じることとなる。
【０００７】
本発明は上記事情に鑑みてなされたものであり、その目的は、多様な包装形態に対応可能な包装装置を提供することである。
【課題を解決するための手段】
【０００８】
以下、上記目的等を解決するのに適した各手段につき項分けして説明する。なお、必要に応じて対応する手段に特有の作用効果等を付記する。
【０００９】
手段１．複数の被集積物が集積された集積体に対して、結束体をバンド掛け可能な１次バンド手段と、該１次バンド手段の下流側に設けられ、前記集積体を複数まとめて、結束体をバンド掛け可能な２次バンド手段と、該２次バンド手段の下流側に設けられ、前記集積体に対して、ピロー包装を実施するためのピロー包装手段とを備えた包装装置であって、前記１次バンド手段によるバンド掛けを施すことなく、前記集積体を前記１次バンド手段の下流側へと移送可能に構成するとともに、前記２次バンド手段によるバンド掛けを施すことなく、前記集積体を２次バンド手段の下流側へと移送可能に構成し、前記２次バンド手段の下流側かつ前記ピロー包装手段の上流側において、前記集積体を受取り可能であり、前記受け取った集積体にピロー包装を施すことなく、前記ピロー包装手段とは別途の経路で下流側へと移送するためのバイパス手段を設けたことを特徴とする包装装置。
【００１０】
上記手段１によれば、包装装置は、１次バンド手段、２次バンド手段、及び、ピロー包装手段を備えている。１次バンド手段によって、集積体に結束体をバンド掛けする１次バンド掛けを実施することができ、２次バンド手段によって、１次バンド掛けした集積体を複数まとめて、さらにバンド掛けする２次バンド掛けを実施することができ、ピロー包装手段によって、２次バンド掛けされた集積体等に対してピロー包装を実施することができる。これに加え、包装装置は、１次バンド掛け、２次バンド掛け及びピロー包装を施すことなく集積体を１次バンド手段の下流側、２次バンド手段の下流側、ピロー包装手段の下流側へと移送することも可能である。このため、（１）１次バンド掛けしたもの、（２）２次バンド掛けしたもの、（３）２次バンド掛けしたうえでピロー包装するもの、（４）１次バンド掛けしたうえでピロー包装するもの、（５）バンド掛けすることなくピロー包装するものといった具合に多様な包装形態を１つの包装装置で実現することができる。従って、包装形態に応じてそれぞれ専用の設備を準備する必要が無く、設備費の抑制、設備設置面積の縮小化を図ることができる。また、ピロー包装手段に関して、集積体にピロー包装を施さずに当該ピロー包装手段内を通過させて下流側へと移送可能な構成とする場合には、ピロー包装手段内に設けられた各種機構等に、移送される集積体が引っ掛かり、移送が不安定となってしまうおそれがある。この点、手段１では、バイパス手段を備えているため、ピロー包装手段内を通過させて集積体を移送させる必要が無い。このため、ピロー包装を施さない場合であっても、集積体を安定して確実に下流側へと移送させることができる。
【００１１】
手段２．前記１次バンド手段は、前記集積体を移送する移送機構と、該移送機構による移送に際して、前記集積体にバンド掛けを施す１次バンド機構とを備え、かつ、該１次バンド機構が無効化可能に構成されていることを特徴とする手段１に記載の包装装置。
【００１２】
上記手段２によれば、１次バンド手段において、バンド掛けする場合には、移送機構によって集積体が移送され、この移送に際して、１次バンド機構によって、移送される集積体にバンド掛けが行われる。１次バンド機構が無効化されている場合には、集積体にバンド掛けが施されず、移送のみが行われる。すなわち、バンド掛けを実施しない場合であっても、バンド掛けを実施する場合と同様に、移送機構によって集積体を移送させることができる。このため、バンド掛けを実施させないために、１次バンド手段とは別途の移送経路を有する別途の移送手段等を設ける必要が無い。従って、装置設置面積の拡大の抑制、及び、包装装置の低コスト化を図ることができる。
【００１３】
手段３．前記１次バンド手段の上流側において前記集積体を受取り可能であり、該受け取った集積体に前記１次バンド手段によるバンド掛けを施すことなく、前記１次バンド手段とは別途の経路で当該１次バンド手段の下流側かつ前記２次バンド手段の上流側へと移送するための１次バンドバイパス手段を設けたことを特徴とする手段１または２に記載の包装装置。
【００１４】
上記手段３によれば、１次バンドバイパス手段によって集積体を移送させることで、該集積体は１次バンド手段を経由させられない。これにより、１次バンド掛けを施すことなく、集積体を１次バンド手段の下流側かつ２次バンド手段の上流側へと安定して移送させることができる。
【００１５】
手段４．前記１次バンド手段の下流側かつ前記２次バンド手段の上流側において前記集積体を受取り可能であり、該受け取った集積体に前記２次バンド手段によるバンド掛けを施すことなく、前記２次バンド手段とは別途の経路で当該２次バンド手段の下流側かつ前記ピロー包装手段の上流側へと移送するための２次バンドバイパス手段を設けたことを特徴とする手段１乃至３のいずれかに記載の包装装置。
【００１６】
上記手段４によれば、２次バンドバイパス手段によって集積体を移送させることで、該集積体は２次バンド手段を経由させられない。これにより、２次バンド掛けを施すことなく、集積体を２次バンド手段の下流側かつピロー包装手段の上流側へと安定して移送させることができる。
【００１７】
手段５．前記バイパス手段は、前記１次バンド手段の下流側かつ前記２次バンド手段の上流側において前記集積体を受取り可能であり、該受け取った集積体に対して前記２次バンド手段によるバンド掛けを施すことなく、前記２次バンド手段とは別途の経路で当該２次バンド手段の下流側かつ前記ピロー包装手段の上流側、または、前記ピロー包装手段の下流側へと移送可能な２次バンドバイパス機能を有することを特徴とする手段１乃至３のいずれかに記載の包装装置。
【００１８】
上記手段５によれば、バイパス手段は、ピロー包装手段を経由させずに集積体を移送可能であることに加えて、２次バンド手段を経由させずに集積体を該２次バンド手段の下流側へと移送可能である。このため、集積体を安定して移送できるとともに、２次バンド手段及びピロー包装手段に対して、それぞれ別途のバイパス手段を設ける場合に比べ、装置のコンパクト化を図ることができる。
【００１９】
手段６．前記バイパス手段は、前記１次バンド手段の上流側において前記集積体を受取り可能であり、該受け取った集積体に対して前記１次バンド手段によるバンド掛けを施すことなく、前記１次バンド手段の下流側かつ前記２次バンド手段の上流側、または、前記２次バンド手段の下流側へと移送可能な１次バンドバイパス機能を有することを特徴とする手段５に記載の包装装置。
【００２０】
上記手段６によれば、バイパス手段は、さらに、１次バンド手段を経由させずに集積体を該１次バンド手段の下流側へと移送可能である。このため、集積体を安定して移送できるとともに、１次バンド手段、２次バンド手段及びピロー包装手段に対して、それぞれ別途のバイパス手段を設ける場合に比べ、装置のコンパクト化を図ることができる。
【００２１】
手段７．前記２次バンド手段は、前記集積体を移送する移送機構と、該移送機構による移送に際して、前記集積体にバンド掛けを施す２次バンド機構とを備え、かつ、該２次バンド機構が無効化可能に構成されていることを特徴とする手段１乃至６のいずれかに記載の包装装置。
【００２２】
上記手段７によれば、２次バンド手段において、バンド掛けが施される場合には、移送機構によって集積体が移送され、この移送に際して、２次バンド機構により集積体にバンド掛けが行われる。それに対し、２次バンド機構が無効化されている場合には、集積体にバンド掛けが施されず、移送のみが行われる。すなわち、バンド掛けを実施しない場合であっても、バンド掛けを実施する場合と同様に、移送機構によって集積体を移送させることができる。このため、バンド掛けを実施させないために、２次バンド手段とは別途の移送経路を有する別途の移送手段等を設ける必要が無い。従って、装置設置面積の拡大の抑制、及び、包装装置の低コスト化を図ることができる。
【００２３】
手段８．前記１次バンド手段の上流側に設けられ、複数の被集積物を所定枚数ずつに集積するための集積手段を備えることを特徴とする手段１乃至７のいずれかに記載の包装装置。
【００２４】
上記手段８によれば、集積手段によって、被集積物を所定枚数ずつに集積した集積体とすることができ、当該集積手段の下流側において該集積体を多様な形態に包装することができる。
【発明を実施するための最良の形態】
【００２５】
以下、一実施形態について、図面を参照しつつ説明する。
【００２６】
本実施形態では、包装装置によって、集積体としての集積されたＰＴＰシートが包装される。図２（ａ），（ｂ）に示すように、被集積物としてのＰＴＰシート１は、複数のポケット部２を備えた包装用フィルム３と、ポケット部２を塞ぐようにして包装用フィルム３に取着されたカバーフィルム４とを有している。各ポケット部２には内容物としての錠剤５が１つずつ収容されている。
【００２７】
前記ＰＴＰシート１は、包装装置の上流側に設けられたブリスタ製造装置によって製造される。ブリスタ製造装置においては、包装用フィルム３にポケット部２を成形するためのポケット成形工程、ポケット部２に錠剤５等を投入するための投入工程、ポケット部２に蓋をするためのカバーフィルム貼着工程、及び、シート状に打ち抜くための打抜工程等を経る。そして、上記各工程を経て連続的に送られてきたＰＴＰシート１は、取入コンベア上に載置され、下流側へと搬送されるようになっている。
【００２８】
ブリスタ製造装置の下流側には、ＰＴＰシート１を包装するための包装装置が設けられている。本実施形態の包装装置によって包装可能なＰＴＰシート１の包装形態は、次の５種類である。（１）複数毎重ね合わせたＰＴＰシート１に、結束体としてのバンドフィルム７を巻き付ける１次バンド掛けを施して、１次バンドシート８（図３参照）とするもの。（２）前記１次バンドシート８を複数組重ね合わせて、結束体としてのバンドフィルム９を巻き付ける２次バンド掛けを施して、２次バンドシート１０（図４参照）とするもの。（３）２次バンドシート１０を包装用フィルム１１でピロー包装するもの（図５参照）。（４）１次バンドシート８を包装フィルム１１でピロー包装するもの。（５）複数毎重ね合わせたＰＴＰシート１にバンドフィルム７，９を巻き付けずに、包装用フィルム１１でピロー包装するもの。
【００２９】
図１に示すように、前記包装形態を実現するための包装装置２１は、集積手段２２、１次バンド手段２３、２次バンド手段２４、２次バンドバイパス手段２５、ピロー包装手段２６、及び、バイパス手段を構成するピローバイパス手段２７を備えている。
【００３０】
集積手段２２は、順次搬送されてくるＰＴＰシート１を所定枚数ずつ重ね合わせて、下流側へ受け渡し可能に構成されている。本実施形態の集積手段２２は、図６に示すように、ＰＴＰシート１を２枚ずつ、ポケット部２の形成された面側を互いに向き合わせるようにして抱き合わせるための抱合せ機構と、抱き合わせたシートを５組重ね合わせて積み上げ、図７に示すような１０枚１組の集積シート２８とするための積み上る積上げ機構（いずれも図示略）とを備えている。
【００３１】
前記集積手段２２の下流側には、１次バンド手段２３が設けられており、該１次バンド手段２３は、図８に示すように、前記集積シート２８を移送するための移送機構２９を備えている。移送機構２９は、集積シート２８を把持するための複数のチャック３３を具備した回転部３４を有しており、該回転部３４が回転することにより、チャック３３に把持された集積シート２８が回転移動させられるようになっている。
【００３２】
前記移送機構２９の周縁近傍には、バンドフィルムロール３６からバンドフィルム７を繰出すための繰出部３８、繰り出されたバンドフィルム７を把持するための結束体把持部３９、把持されたバンドフィルム７を切断する切断部４０、及び、集積シート２８に巻かれたバンドフィルム７を熱溶着して貼着するための貼着部４１等が設けられている。これら繰出部３８、結束体把持部３９、切断部４０、貼着部４１によって、移送機構２９による移送中に集積シート２８にバンドフィルム７を巻き付けるための１次バンド機構が構成されている。該１次バンド機構を作動させることで、集積シート２８が回転部３４によって回転移動させられるのに伴い、バンドフィルム７が当該集積シート２８に巻き付けられるようになっている。このように、１次バンド手段２３においては、集積シート２８にバンドフィルム７が巻き付けられることにより、１次バンドシート８が得られる。
【００３３】
また、上記１次バンド機構の作動は停止可能に構成され、１次バンド機構の作動を停止させた場合には、移送機構２９による移送のみが行われ、集積シート２８は、バンドフィルム７が掛けられることなく下流へと移送されることとなる。
【００３４】
前記１次バンド手段２３の下流側には、２次バンド手段２４及び２次バンドバイパス手段２５が設けられている。２次バンド手段２４は、１次バンドシート８を５組重ね合わせるための集積機構と、該集積機構によって重ね合わせた１次バンドシート８を移送するための移送機構と、当該移送機構による移送に伴って重ね合わせた１次バンドシート８にバンドフィルム９を巻き付けるための２次バンド機構とを有している（これらの機構についての図示及び詳細な説明を省略するが、上記１次バンド機構と同様の構成を採用してもよいし、別の構成を採用してもよい。）。なお、２次バンド機構の作動は停止可能に構成され、２次バンド機構の作動を停止させた場合には、移送機構による移送のみが行われ、１次バンドシート８はバンドフィルム９が掛けられることなく下流へと移送されることとなる。
【００３５】
２次バンドバイパス手段２５は、２次バンド手段２４による２次バンド掛けを施さずに、ＰＴＰシート１を移送するためのものであり、図示しない爪付きのコンベアを有している。該コンベアは、本実施形態では前記１次バンド手段２３の下流側において集積シート２８（１次バンド掛けされていないもの）を受け取り、受け取った集積シート２８を２次バンド手段２４の下流側へと移送可能に構成されている。
【００３６】
前記２次バンド手段２４の下流側には、ピロー包装手段２６及びピローバイパス手段２７が設けられている。ピロー包装手段２６は、受け渡されたＰＴＰシート１を包装用フィルム１１の方へと移送する第１移送機構と、移送方向に沿って筒状に包装フィルム１１を貼り合わせるためのセンターシール機構と、包装フィルム１１ごとＰＴＰシート１を移送するための第２移送機構と、前記筒状にされた包装フィルム１１の開口部を貼り合わせるためのトップシール（エンドシール）機構とを有している（これら各機構については、公知であるため、ここでの図示及び詳細な説明を省略する）。これらの機構によりピロー包装手段２６は、受け渡されたＰＴＰシート１にピロー包装を施して、下流側へと移送するように構成されている。なお、当該ピロー包装手段２６においては、受け渡されたＰＴＰシート１の形態が、集積シート２８、１次バンドシート８、または、２次バンドシート１０のいずれの形態であっても、ピロー包装可能になっている。
【００３７】
ピローバイパス手段２７は、ピロー包装手段２６によるピロー包装を実施せずに、ＰＴＰシート１を移送するためのものであり、図示しないコンベアを備えている。該コンベアは、前記２次バンド手段２４の下流側において、１次バンドシート８または２次バンドシート１０とされたＰＴＰシート１を受け取り、受け取ったＰＴＰシート１をピロー包装手段２６の下流側へと移送可能に構成されている。なお、ピローバイパス手段２７では、原則として結束されていない集積シート２８の移送は行われない。
【００３８】
ここで、上記のように構成されてなる包装装置２１を用いて、ＰＴＰシート１を包装する際の手順並びにその際に奏される作用効果について説明する。
【００３９】
集積手段２２においては、搬送されてくる個々のＰＴＰシート１が抱合せ機構によって２枚ずつ抱き合わせられ、積上げ機構によって積み上げられて集積シート２８とされる。そして、集積シート２８は、１次バンド手段２３へと受け渡される。
【００４０】
１次バンド手段２３においては、集積シート２８が移送機構２９へと受け渡される。ここで、１次バンド掛けを実施する場合には、バンドフィルムロール３６から繰出部３８によって繰出されたバンドフィルム７の端部を、結束体把持部３９によって把持させ、これにより、集積シート２８とチャック３３との間にバンドフィルム７を介在させる。そして、集積シート７を開放されているチャック３３に押し込ませることで、バンドフィルム７が集積シート２８と共にチャック３３内へと押し込まれる。
【００４１】
さらに、当該チャック３３が閉じられ、結束体把持部３２によるバンドフィルム７端部の把持が解除されるとともに、切断部４０によってバンドフィルム７が所定長にカットされる。次に、回転機構３４によって、前記チャック２６に把持された集積シート２８が上方へと回転移動させられる。この回転移動により、前記所定長にカットされたバンドフィルム７が集積シート２８に巻き付くこととなり、巻き付けられたバンドフィルム７の端部が、貼着部３６によって熱溶着される。該熱溶着により、バンド掛けが完了する。すなわち、集積シート２８は１次バンドシート８とされる。熱溶着の完了後、１次バンドシート８は、チャック３３から取り出され下流側へと受け渡される。
【００４２】
一方、１次バンド掛けを実施しない場合には、１次バンド機構の繰出部３８、結束体把持部３９、切断部４０及び貼着部４１の作動が停止（無効化）される。これにより、集積シート２８がチャック３３に押し込まれる際に、集積シート２８とチャック３３との間にバンドフィルム７が介在させられない。このため、挿入される集積シート２８は、自身にバンドフィルム７が巻き付けられることがないまま、回転部３４によって移送され、１次バンド手段２３の下流側へと移送される。
【００４３】
続いて、１次バンド手段２３の下流側に１次バンドシート８が移送されると、当該１次バンドシート８は、２次バンド手段２４を経由させられる。ここで、１次バンドシート８に２次バンド掛けを施す場合には、まず、集積機構によって１次バンドシート８が５組重ね合わされる。そして、重ね合わされた１次バンドシート８は、移送機構によって移送されつつ、２次バンド機構によってバンドフィルム９が巻き付けられ２次バンドシート１０とされる。
【００４４】
一方、１次バンドシート８に２次バンド掛けを施さない場合には、２次バンド機構の作動が停止（無効化）される。これにより、集積機構によって重ね合わされた１次バンドシート８は、バンドフィルム９を巻き付けられることなく、移送機構によって下流側へと移送される。
【００４５】
これに対し、１次バンド手段２３の下流側にバンド掛けされていない集積シート２８が移送される場合には、２次バンド掛けは実施されず、集積シート２８は２次バンドバイパス手段２５を経由させられる。２次バンドバイパス手段２５には前記爪付きのコンベアが設けられているため、集積シート２８をバラバラに崩してしまうことなく、確実に下流へと移送させることができる。
【００４６】
２次バンド手段２４または２次バンドバイパス手段２５を経由されたＰＴＰシート１（集積シート２８、１次バンドシート８または２次バンドシート１０）に、ピロー包装を施す場合は、ＰＴＰシート１はピロー包装手段２６を経由させられる。ピロー包装手段２６においては、センターシール機構によって筒状に貼り合わされる包装フィルムの中に向けて、第１移送機構によってＰＴＰシート１が移送される。さらに、第２移送機構によって、ＰＴＰシート１を包む筒状の包装フィルムがトップシール機構の方へと移動させられる。そして、トップシール機構によって、ＰＴＰシート１の移送方向に対する前後で、筒状の包装用フィルムがシールされ、切断され、これにより、ピロー包装が完了される。そして、さらに下流側へと移送される。
【００４７】
ＰＴＰシート１（１次バンドシート８または２次バンドシート１０）にピロー包装を施さない場合には、ＰＴＰシート１はピローバイパス手段２７を経由させられる。ピローバイパス手段２７においては、コンベアによって、ＰＴＰシート１はピロー包装されることなく下流側へと移送される。
【００４８】
以上詳述したように、本実施形態の包装装置２１は、１次バンド手段２３、２次バンド手段２４、及び、ピロー包装手段２６を備えており、１次バンド掛け、２次バンド掛け及びピロー包装が可能となっている。これに加え、１次バンド掛け、２次バンド掛け及びピロー包装の実施の有無がそれぞれ選択可能となっている。このため、（１）１次バンドシート８とするもの、（２）２次バンドシート１０とするもの、（３）２次バンドシート１０をピロー包装するもの、（４）１次バンドシート８をピロー包装するもの、（５）集積シート２８をピロー包装するものといった具合に多様な包装形態を１つの包装装置２１で実現することができる。従って、包装形態に応じてそれぞれ専用の設備を準備する必要が無く、設備費の抑制、設備設置面積の縮小化を図ることができる。
【００４９】
なお、１次バンド手段２３、２次バンド手段２４、及び、ピロー包装手段２６のそれぞれにおいて、ＰＴＰシート１に包装を施すことなく下流側へと移送する場合であっても、別途の搬送手段等を着脱させる必要が無い。一般に、包装装置への搬送手段等の別途の装置着脱は、非常に高度で複雑な作業であり、多くの作業時間が必要になるとともに、専門技術を有する作業員も必要となる。この点、前記包装装置２１は、別途の装置の着脱等の特別な作業をすることなく、短時間で容易に包装形態を切り換えることができる。
【００５０】
また、ピロー包装手段に関して、ＰＴＰシート１にピロー包装を施さずに当該ピロー包装手段内を通過させて下流側へと移送可能な構成とする場合には、センターシール機構やトップシール機構等に移送されるＰＴＰシート１が引っ掛かり、移送が不安定となってしまうおそれがある。この点、本実施形態では、包装装置２１は、ピローバイパス手段２７を備えているため、ピロー包装手段２６内を通過させてＰＴＰシート１を移送させる必要が無い。このため、ピロー包装を施さない場合であっても、ＰＴＰシート１を安定して確実に下流側へと移送させることができる。
【００５１】
さらに、１次バンド手段２３は、１次バンド掛けを施さない場合であっても、１次バンド掛けを施す場合と同様に、集積シート２８をチャック３３で把持して移送させる。すなわち、１次バンド掛けの有無に拘らず、同一の方法及び経路で、集積シート２８を次の装置へと移送可能となっている。このため、１次バンド掛けの有無によって、集積シート２８の移送装置と移送経路とを別途に設ける必要が無い。従って、包装装置２１の低コスト化及び設置面積の縮小化を図ることができる。
【００５２】
加えて、集積シート８に２次バンド掛けを施さない場合には、２次バンド手段２４でなく、２次バンドバイパス手段２５を経由させられるようになっている。このため、バンド掛けされず、バラバラに崩れ易い集積シート２８を確実に下流側へと移送させることができる。
【００５３】
以上説明した実施形態において、例えば、次のように構成の一部を適宜変更して実施することも可能である。勿論、以下において例示しない他の変更例も当然可能である。
【００５４】
（ａ）２次バンドバイパス手段２５を省略し、２次バンド手段２４によって、集積シート２８をも２次バンド掛けを施さず下流側へと移送するように構成してもよい。この場合、さらなる設備費の抑制や設置面積の縮小化を図ることができる。
【００５５】
（ｂ）また、２次バンドバイパス手段２５によって、集積シート２８だけでなく、１次バンドシート８をも移送するようにしてもよい。この場合、移送の安定化をより一層図ることができる。
【００５６】
（ｃ）本実施形態では、１次バンド手段２３は、１次バンド掛けの有無に拘らず移送機構２９によって集積シート２８を移送するようになっているが、別途の経路で集積シート２８を移送するための１次バンドバイパス手段を設けても差し支えない。
【００５７】
（ｄ）本実施形態では、２次バンドバイパス手段２５とピローバイパス手段２７とは、それぞれ２次バンド手段２４、ピロー包装手段２６に対応して個別に設けられているが、図９（ａ）に示すように、２次バンドバイパス手段２５及びピローバイパス手段２７に代えて、２次バンド手段２４及びピロー包装手段２６の両方に対して共通のバイパス手段５７を設けた包装装置５８としてもよい。具体的には、バイパス手段５７は、１次バンド手段２３の下流においてＰＴＰシート１を受取り、ピロー包装手段２６の下流へと移送可能であるとともに、２次バンド手段２４とピロー包装手段２６との間においてＰＴＰシート１の受渡しの有無を選択可能に構成してもよい。これにより、包装装置のより一層の簡素化を図ることができる。さらには、図９（ｂ）のように、１次バンド手段２３、２次バンド手段２４及びピロー包装手段２６に対して、共通のバイパス手段５９を備えた包装装置６０としてもよい。
【００５８】
（ｅ）１次バンドシート８を構成するＰＴＰシート１の枚数は、必ずしも１０枚でなくても差し支えなく、複数枚であればよい。これに伴い、集積手段２２は、ＰＴＰシート１を必ずしも１０枚１組の集積シート２８としなくてもよく、複数枚のＰＴＰシート１を１組の集積シートとするものであればよい。また、集積手段２２は、抱合せ機構を備えているが、抱合せ機構を省略しても差し支えない。
【００５９】
（ｆ）本実施形態では、２次バンド手段２４によって１次バンドシート８が５組重ね合わされ２次バンドシート１０とされているが、必ずしも５組でなくてもよく、複数組であればよい。
【図面の簡単な説明】
【００６０】
【図１】一実施形態における包装装置の概略構成を示すブロック図である。
【図２】ＰＴＰシートの構成を示す図であって、（ａ）は斜視図であり、（ｂ）は部分断面図である。
【図３】１次バンドシートの構成を示す斜視図である。
【図４】２次バンドシートの構成を示す斜視図である。
【図５】２次バンドシートにピロー包装を施したものの斜視図である。
【図６】２枚のＰＴＰシートを抱き合わせた状態を示す断面図である。
【図７】集積手段によってＰＴＰシートが積み重ねされた状態を示す斜視図である。
【図８】１次バンド手段の構成を示す正面図である。
【図９】（ａ），（ｂ）ともに、別の形態における包装装置の概略構成を示すブロック図である。
【符号の説明】
【００６１】
１…被集積物としてのＰＴＰシート、７…結束体としてのバンドフィルム、９…結束体としてのバンドフィルム、２１…包装装置、２２…集積手段、２３…１次バンド手段、２４…２次バンド手段、２５…２次バンドバイパス手段、２６…ピロー包装手段、２７…バイパス手段を構成するピローバイパス手段、５７…バイパス手段、５８…包装装置、５９…バイパス手段、６０…包装装置。
【図１】
2006056533.tif 000003
【図２】
2006056533.tif 000004
【図３】
2006056533.tif 000005
【図４】
2006056533.tif 000006
【図５】
2006056533.tif 000007
【図６】
2006056533.tif 000008
【図７】
2006056533.tif 000009
【図８】
2006056533.tif 000010
【図９】
2006056533.tif 000011